(57)【要約】  テレビジョン受信機３０の画面に表示されるように設計された対話型マルチメディアコンテンツを管理する方法であって、本方法は、対話型マルチメディアコンテンツ１０に含まれている少なくとも１つの対話型要素を識別するステップと、識別された対話型要素の複製にラベル付けするステップと、ラベル付けされた対話型要素を記憶するステップと、記憶された対話型要素を、少なくとも１人のテレビジョン視聴者にプロビジョニングするステップとを含む。
2014510458.tif 000002
【特許請求の範囲】
【請求項１】
テレビジョン受信機（３０）の画面に表示されるように設計された対話型マルチメディアコンテンツを管理するための方法であって、
−  対話型マルチメディアコンテンツ（１０）に含まれている少なくとも１つの対話型要素を識別するステップと、
−  識別された対話型要素の複製にラベル付けするステップと、
−  ラベル付けされた対話型要素を記憶するステップと、
−  記憶された対話型要素を、少なくとも１人のテレビジョン視聴者にプロビジョニングするステップと
を含む、方法。
【請求項２】
利用可能な対話型要素にユーザ端末（６）からアクセスするステップをさらに含むことを特徴とする、請求項１に記載の方法。
【請求項３】
ユーザ端末（６）により提供される少なくとも１つのサービスを用いるステップをさらに含むことを特徴とする、請求項２に記載の方法。
【請求項４】
使用されるサービスが、対話型要素に含まれる住所に対する方向を見出すことのできる地理位置情報サービスであることを特徴とする、請求項３に記載の方法。
【請求項５】
ラベル付けするステップが、対話型マルチメディアコンテンツに関連付けられた電子番組ガイドから取得された少なくとも１つの情報を使用することを特徴とする、請求項１から４のいずれか一項に記載の方法。
【請求項６】
ラベル付けするステップが、テレビジョン視聴者により提供される少なくとも１つの情報を使用することを特徴とする、請求項１から５のいずれか一項に記載の方法。
【請求項７】
ラベル付けするステップが、遠隔のラベルソースから取得された少なくとも１つの情報を使用することを特徴とする、請求項１から６のいずれか一項に記載の方法。
【請求項８】
対話型マルチメディアコンテンツ（１０）の一部の複製が、ラベル付けされた対話型要素と関連させて記憶されることを特徴とする、請求項１から７のいずれか一項に記載の方法。
【請求項９】
テレビジョン受信機（３０）の画面に表示されるように設計された対話型マルチメディアコンテンツ（１０）を管理するためのシステムであって、
−  対話型マルチメディアコンテンツ（１０）に含まれている少なくとも１つの対話型要素を識別するように設計された選択モジュール（１）と、
−  識別された対話型要素の複製にラベル付けするように設計されたラベル付けモジュール（３）と、
−  ラベル付けされた対話型要素を記憶するためのデータベース（４）と、
−  データベース（４）のコンテンツにアクセスできるようにするインターフェース（５）と
を備える、システム。
【請求項１０】
ラベル付けモジュール（３）が、対話型マルチメディアコンテンツに関連付けられた電子番組ガイドから取得された少なくとも１つの情報を使用することを特徴とする、請求項９に記載のシステム。
【請求項１１】
選択モジュール（１）、ラベル付けモジュール（３）、データベース（４）、およびインターフェース（５）が、テレビジョン受信機（３０）に関連付けられたアダプタ（２０）に含まれることを特徴とする、請求項９または１０に記載のシステム。
【請求項１２】
データベース（４）のコンテンツにアクセスできるようにするユーザ端末（６）をさらに備えることを特徴とする、請求項９から１１のいずれか一項に記載のシステム。
【請求項１３】
ユーザ端末（６）が、データベース（４）のコンテンツにアクセスできるようにするソフトウェアアプリケーションを備えることを特徴とする、請求項１２に記載のシステム。
【請求項１４】
ソフトウェアアプリケーションが、ユーザ端末（６）により提供される少なくとも１つのサービスを使用することを特徴とする、請求項１３に記載のシステム。
【請求項１５】
記憶媒体上に実装されるコンピュータプログラム製品であって、コンピュータ処理装置内で実施することができ、かつ請求項１から８のいずれか一項に記載の方法を実施するための命令を含む、コンピュータプログラム製品。
【発明の詳細な説明】
【技術分野】
【０００１】
本発明は、強化された対話型媒体に関する。
【背景技術】
【０００２】
本明細書で、「テレビジョン受信機」とは、送信機により送信される、または放送されたマルチメディアコンテンツの少なくとも視覚的要素を再生できる任意の受信機を意味するものとする。
【０００３】
さらに本明細書で、「テレビジョン」とは、テレビジョン受信機により受信され、かつ表示されるように設計されたマルチメディアコンテンツを、放送チャネルが生成するための任意の方法／システムを意味するものとする。特に、対話型テレビジョンは、対話型マルチメディアコンテンツを放送することのできるテレビジョンである。対話型マルチメディアコンテンツは、テレビジョンの視聴者に、個人的な反応を導入することを可能にし、かつ／または視聴者が見聞きし、あるいは受け入れるものに対して影響を与えることのできる対話型サービスを含む。
【０００４】
オーディオ／ビデオコンテンツに加えて、対話型マルチメディアコンテンツは、対話型要素を含む。これらの対話型要素は、例えば、経済的な理由（例えば、製品／サービス提案に関する情報：インターネットサイトのアドレス、電子メール、または電話番号）、または情報を提供する理由（例えば、放送された所与の番組に関連するコメント／質問／反応、ニュース、写真、所与のイベントからの結果、またはフットボールチームの選手名）など、様々な理由のために、常用しているテレビジョンフローのオーディオ／ビデオコンテンツを強化するさらなる情報である。
【０００５】
ビデオコンテンツおよび対話型要素は、通常、同時に表示される。したがって、ビデオコンテンツからの画像は、テレビジョン受信機の画面上の情報だけではない。
【０００６】
その結果、再生されるビデオコンテンツの一部が、対話型要素により隠される場合もある。
【０００７】
しかし、対話型要素およびビデオ画像が重畳された表示は、テレビジョン受信機の画面を成功裡にかつ迅速に読み取りながら、情報の両方の部分（すなわち、ビデオ画像と対話型要素）を理解するために、テレビジョン視聴者の注意力を過度に集中させることが必要になる。認知するために高い負荷を必要とする作業（例えば、電話番号、ウェブのアドレス、または販売提案の条件を記憶することなど）は、概して、くつろぐことに関連するテレビジョンの利用法に対して必ずしも適切であるとは限らない。
【０００８】
他の場合では、テレビジョン受信機の画面の一部を、対話型要素を表示するためにだけ割り振ることができる（すなわち、テレビジョン受信機の画面を２つ以上の部分に分割し、その１つの部分には、画面の他の部分で再生されるビデオコンテンツに関連する対話型要素を表示する）。
【０００９】
しかしながら、テレビジョン受信機の画面を複数のウィンドウに分割することは、これらのウィンドウの寸法を小さくする。その結果、表示された情報（すなわち、ビデオ画像および対話型要素）は、より小さい寸法のものとなり、したがって、全画面で表示された場合よりも見にくくなる。
【００１０】
テレビジョンで放送される対話型マルチメディアコンテンツを管理するための知られた方法は、特に、以下の理由で不完全である：
−  対話型要素は、放送される所与の番組のビデオコンテンツにリンクされているので、番組の放送が終了した後、または何らかのチャネル変更（ザッピング）後に、テレビジョン視聴者はもはや利用することができない、
−  放送されているとき、対話型要素は、すべてのテレビジョン視聴者に対して、その能力（読取り／理解／視認する速度、および様々な対話型の媒体の構成要素：オーディオ／ビデオ／対話型要素のコンテンツを組み合わせて理解すること）に関係なく同じ期間だけ表示される。同時に、対話型媒体コンテンツ、特に、マルチメディア広告コンテンツの制作者は、放送コンテンツの最大の有効性を求めながら、通常、非常に限られた時間を有するに過ぎない。
【発明の概要】
【発明が解決しようとする課題】
【００１１】
本発明の一目的は、前述の欠点を改善することである。
【００１２】
本発明の他の目的は、テレビジョン視聴者に対する対話型マルチメディアコンテンツの有用性を改善することである。
【００１３】
本発明の他の目的は、テレビジョンにおける広告投資からの収益を改善することである。
【００１４】
本発明の他の目的は、強化された媒体コンテンツで対話型要素を容易に使えるようにし、その快適さおよび理解を促進することである。
【００１５】
本発明の他の目的は、ソーシャルネットワークを介して、マルチメディアコンテンツにおける対話型要素の共同消費を可能にすることである。
【課題を解決するための手段】
【００１６】
その目的のために、第１の態様によれば、本発明は、テレビジョン受信機の画面に表示されるように設計された対話型マルチメディアコンテンツを管理するための方法に関し、本方法は以下のステップ、すなわち、
−  対話型マルチメディアコンテンツに含まれている少なくとも１つの対話型要素を識別するステップと、
−  識別された対話型要素の複製にラベル付けするステップと、
−  ラベル付けされた対話型要素を記憶するステップと、
−  記憶された対話型要素を、少なくとも１人のテレビジョン視聴者にプロビジョニングするステップと
を含む。
【００１７】
さらに、本方法は、利用可能な対話型要素にユーザ端末からアクセスするステップを含む。
【００１８】
有利には、ラベル付けするステップは、対話型マルチメディアコンテンツに関連付けられた電子番組ガイドから取得された少なくとも１つの情報を用いて、自動的に実行されるべきである。
【００１９】
第２の態様によれば、本発明は、テレビジョン受信機の画面に表示されるように設計された対話型マルチメディアコンテンツを管理するためのシステムに関し、本システムは、
−  対話型マルチメディアコンテンツに含まれている少なくとも１つの対話型要素を識別するように設計された選択モジュールと、
−  識別された対話型要素の複製にラベル付けするように設計されたラベル付けモジュールと、
−  ラベル付けされた対話型要素を記憶するためのデータベースと、
−  データベース中のコンテンツにアクセスできるようにするインターフェースと
を備える。
【００２０】
本システムはまた、データベース中のコンテンツへのアクセスを可能にするソフトウェアアプリケーションを備えたユーザ端末を備える。
【００２１】
第３の態様によれば、本発明は、記憶媒体上に実装されるコンピュータプログラム製品を提案し、それは、情報処理装置内で実施することができ、かつ上記で概要を述べた方法を実施するための命令を含む。
【００２２】
本発明の他の特徴および利点は、一実施形態の機能的表現を図式的に示している図１を参照し、好ましい諸実施形態の以下の記述を読めば、より具体的に明らかとなろう。
【図面の簡単な説明】
【００２３】
【図１】図１は、テレビジョン受信機３０の画面に表示される対話型マルチメディアコンテンツ１０を実時間で受信するためのアダプタ２０（デコーダ、デジタル受信機、またはセットトップボックスの略であるＳＴＢとも呼ばれる）を示している。
【発明を実施するための形態】
【００２４】
アダプタ２０は、着信する信号を、テレビジョン受信機３０の画面に表示できるコンテンツへと変換できる任意の資源である。
【００２５】
対話型マルチメディアコンテンツ１０は対話型要素を含む。対話型マルチメディアコンテンツの流れ１０は、イーサネット（登録商標）ケーブル（例えば、ＩＰＴＶ）、衛星もしくはＶＨＦ／ＵＨＦアンテナ、電話回線、光ファイバ回線、またはローカル／遠隔のデジタルコンテンツ送信のより一般的な任意の手段から、実時間で受信することができる。
【００２６】
対話型マルチメディアコンテンツの流れ１０は、テレビジョンチャネルからの番組に相当する。この流れは、電子番組ガイド（すなわち、ＥＰＧ）を含む。ＥＰＧは、放送される番組に関する情報を含む。
【００２７】
選択モジュール１は、対話型マルチメディアコンテンツ１０から対話型要素を識別し、次いで、対話型要素、または好ましくはその複製をラベル付けモジュール３に送信する（図１のリンク２２）。
【００２８】
一実施形態では、選択モジュール１はまた、放送される対話型マルチメディアコンテンツ１０に関する情報をラベル付けモジュール３に送る（図１のリンク２１）。非限定的な例では、ＥＰＧから取得される情報は、チャネル名、放送される番組名、放送される番組に関連するキーワード、または時間を含むことができる。
【００２９】
ラベル付けモジュール３は、選択モジュール１から送られた対話型要素に対して、タグ（ラベル、またはマークとも呼ばれる）を付加する。その結果、ラベル付けが自動的に行われる。
【００３０】
ラベル付けモジュール３は、選択モジュール１から送られた（図１のリンク２１）情報を用いて、選択モジュール１によりさらに送られた（図１のリンク２２）対話型要素にラベル付けする。
【００３１】
代替的に、または組み合わせて、テレビジョン視聴者は、視聴者の主導で、ラベル付けモジュール３にタグを付加し、選択モジュール１から送られた対話型要素にラベル付けすることができる。一実施形態では、テレビジョン視聴者は、対話型要素にタグ付けする（ラベル付けする）ための拡張可能な１組のタグ（ブックマーク）を有することができる。
【００３２】
対話型要素には、対話型マルチメディアコンテンツ１０の送信機により、すでにラベル付けしておくこともできる。対話型マルチメディアコンテンツ１０の送信機はまた、例えば、「広告」、「商標＝Ｐｅｕｇｅｏｔ（Ｒ）」、「制作者の名前＝Ｗｏｏｄｙ  Ａｌｌｅｎ」、または「題名＝スコア」などのラベルを提供することができる。具体的には、ラベルは、キーワード、対話型要素のカテゴリ（例えば、広告、ニュース、または質問／答）、または商品名とすることができ、したがって、対話型要素の段組み表示、検索、または分類が可能になる。
【００３３】
一実施形態では、ラベル付けモジュール３は、ラベルを、デフォルトで示された遠隔のラベル付けソースから、またはテレビジョン視聴者から取得する。インターネット／イントラネットのサイト、またはシステム外のデータベースは、ラベルソースの例である。非限定的な例として、外国語で放送される所与のテレビジョン番組から、自分自身の言語で対話型要素を見ることを望むテレビジョン視聴者は、システムの構成段階で、放送される番組に対するインターネットサイト（例えば、ＴＶガイドを提供するウェブサイト）のアドレスを指定することができる。
【００３４】
ラベル付けがされた後、対話型要素はデータベース４に、メモリキャッシュに、またはタグ付けされた対話型要素を少なくとも一時的に記憶することのできる任意の他の手段に記憶される。
【００３５】
代替的に、または組み合わせて、対話型マルチメディアコンテンツ１０からのオーディオおよび／またはビデオコンテンツの少なくとも一部（ビデオおよび／またはオーディオシーケンス）の複製が、対応する対話型要素と共にデータベース４に記憶される（図１のリンク２３）。具体的には、こうすることにより、記憶された対話型マルチメディアコンテンツの全体（例えば、提案および住所の詳細を一覧にした対話型要素を含む広告マルチメディアコンテンツ、フットボール競技の開始時の選手を一覧にした対話型要素を含むビデオシーケンス、スコア、時間、およびゴールを決めた選手の名前を一覧にした対話型要素を含むフットボール競技からのゴールのビデオシーケンス、あるいは対話型要素に一覧にした質問に答えるビデオシーケンス）を再表示することが可能になる。
【００３６】
ラベル付けされた対話型要素は、例えば、名前、番組、チャネル、またはキーワードにより記憶することができる。
【００３７】
一実施形態では、対話型要素は、キーワード（例えば、広告、スポーツ、質問／答、提案、または住所）によりタグクラウドとして示される。
【００３８】
データベース４は、対話型要素の閲覧を開始したとき完了するプリファレンスのプロファイルを含み、それは、ユーザのプリファレンス（前の選択に関連して動的に更新される）に自動的に適合されることが好ましい。このプロファイルは、テレビジョン視聴者のプリファレンスに合わせて表示を適合させ（例えば、タグ、タグクラウド、またはリストにより分類する）、かつデータベース４からのコンテンツを管理するように（例えば、アクセス許可）設計される。
【００３９】
インターフェース５は、データベース４に記憶され、ラベル付けされた対話型要素へのアクセスおよび検索を可能にする。
【００４０】
インターフェース５は、対話型コンテンツをフィルタするための基準と、（例えば、タグクラウドの形で、またはリストとして）記憶された対話型要素の検索結果を表示する手段とを備えている。
【００４１】
インターフェース５は、そのタグを用いて対話型要素を迅速に見出すことのできる、データベース４を探索する手段（例えば、検索エンジン、またはいくつかのグラフィカルインターフェースを有するナビゲーションツール）を備えている。
【００４２】
インターフェース５はまた、ユーザ端末６を介して、データベース４のコンテンツに対して遠隔からのアクセスを可能にする。それを行うために、インターフェース５は、接続インターフェースを備えている。この接続インターフェースは、無線接続（例えば、ブルートゥース（ＴＭ）、ＨｉｐｅｒＬＡＮ、無線ＬＡＮ、Ｈｏｍｅ  ＲＦ、ＷｉＦｉ、およびＺｉｇＢｅｅ、ＧＳＭ（登録商標）、ＧＰＲＳ、Ｗ−ＣＤＭＡ、またはＷｉＭＡＸ）、または有線接続（例えば、イーサネット）とすることができる。
【００４３】
有利には、インターフェース５は、データベース４のコンテンツに対して集合的に、また個々にアクセスし、利用することを可能にする（すなわち、データベース４に記憶された対話型コンテンツを数人のテレビジョン視聴者で同時に使用する場合、各視聴者は、他の視聴者を混乱させることなく、自分の望むコンテンツを見ることができる）。
【００４４】
特に、ユーザ端末６は、モバイルユーザ端末（例えば、スマートフォン、可搬型コンピュータ、ラップトップ、またはＰＤＡ（携帯情報端末））、または固定ユーザ端末（例えば、デスクトップコンピュータ）とすることができる。このように、テレビジョン視聴者は、データベース４に記憶された対話型要素のすべてを探索し、かつ見るために自分のモバイル端末を使用することができる。
【００４５】
一実施形態では、データベース４のコンテンツにテレビジョン視聴者がアクセス／変更できるようにするソフトウェアアプリケーションが、ユーザ端末６に対して（特にスマートフォンおよび可搬型コンピュータに対して）開発されてきた。ソフトウェアアプリケーションからのグラフィカルインターフェースを用いて、テレビジョン視聴者は、データベース４に記憶された対話型要素を、例えば、検索、表示、変更、削除、または見ることができる。
【００４６】
ユーザ端末６にインストールされたソフトウェアアプリケーションは、ユーザ端末６により提供される他のサービス／資源（例えば、電子メール、地理位置情報、ウェブナビゲーション、通信）を使用し、それと連携することが好ましい。非限定的な例として、このアプリケーションは、
−  対話型要素に含まれた電話番号を用いて連絡先に電話すること、
−  対話型要素に含まれた電子メールアドレスを用いて電子メールを送ること、
−  対話型要素に含まれた住所の位置を特定する、または住所への方向を見出すこと、
−  対話型要素に含まれたアドレスのウェブサイトを訪れること
を可能にする。
【００４７】
好ましくは、データベース４のコンテンツにアクセスするためにユーザ端末６にインストールされたソフトウェアアプリケーションは、ソーシャルネットワーク（例えば、フェイスブック、ＭｙＳｐａｃｅ、ツイッター、またはグーグルバズ）、およびマルチメディアコンテンツ共用プラットフォーム（例えば、ＹｏｕＴｕｂｅ（登録商標）、ＤａｉｌｙＭｏｔｉｏｎ）と通信するためのインターフェースを備え、テレビジョン視聴者に対してその友人が好む対話型コンテンツを提案できるようにする、またはテレビジョン視聴者がデータベース４から何らかのものを友人に提案できるようにする。
【００４８】
データベース４に記憶された対話型要素は、テレビジョン受信機３０の画面に表示することができる（図１のリンク２３）が、端末が画面を有している場合は、ユーザ端末６の画面にも表示できることに留意されたい。
【００４９】
上記で述べた方法の非限定的な適用例として、テレビジョンでマルチメディア広告コンテンツを既に見ているテレビジョン視聴者は、ある製品に対する販売場所の住所を記憶していないが、これらの住所は、コンテンツの対話型要素中でリストアップされている。この場合、テレビジョン視聴者は、
−  自分のスマートフォン６のソフトウェアアプリケーションを起動して、自分のアダプタ（ＳＴＢ）２０に遠隔からアクセスする、
−  対話型要素を求めて（例えば、コンテンツを放送したテレビジョンチャネルの名前、そのコンテンツを見た日付、またはコンテンツの主題を用いて）データベース４を検索する、
−  対話型要素に含まれている販売場所の住所を抽出する、
−  （スマートフォン６により提供される地理位置情報の手段を用いて）自分の現在の地理的な位置に関連して選択された販売場所のそれぞれに対する方向を要求する。
【００５０】
大部分のアダプタ（ＳＴＢ）２０は、マルチメディアコンテンツを記憶するなどの組み込まれた機能を利用できるが、あるいは記憶されたマルチメディアコンテンツを管理すること、ならびにテレビジョン受信機３０を制御することのできるオペレーティングシステムを有する。したがって、上記で述べた方法を実施する場合、既存のアダプタの大幅な変更を必要としないので有利である。
【００５１】
ここで述べた方法およびシステムは、いくつかの利点を示す。具体的には、本方法およびシステムは、以下のことを可能にする：
−  マルチメディア広告コンテンツの収益を向上させること、すなわち、時間枠からの自由度を向上させる（テレビジョン視聴者は、自分に都合のよい時間にマルチメディア広告コンテンツを、または少なくともその対話型要素を見ることができる）。任意の時間に販売提案の細部（例えば、店の住所、割引率、ウェブサイトのアドレス、提案の利点）を利用できるようにすることは、より高い収益を促進する、
−  他のチャネルで放送された（またはアダプタ２０が２つのチューナを有する場合には、放送されている）マルチメディアコンテンツからの対話型要素を見ながら１つのチャネルから他のチャネルへと変更する（ザッピングする）こと、
−  対話型マルチメディアコンテンツを、その重要性に気がついた場合、後で再度見ること、または放送された時点では忙しかった場合、それを再度見ること、
−  アダプタ１０が「ダブルチューナ」である場合に視聴すること。
【００５２】
本明細書では、用語「モジュール」および「インターフェース」は、１つまたは複数の所定の機能を実行するようにプログラムされたプロセッサを組み込む任意の手段を、あるいは他のソフトウェアアプリケーションとは独立した、またはそれらと組み合わせたプロセッサで実施される任意のソフトウェアアプリケーション（プログラムもしくはサブプログラム、プラグイン）を含むことに留意されたい。
【図１】
2014510458.tif 000003
【国際調査報告】
2014510458.tif 000004
2014510458.tif 000005